(57)【要約】【課題】大型化を招くことなくカバーの変形を抑えてハウジングにカバーを確実に固定した状態に維持させることが可能なカバーの取付構造を提供すること。【解決手段】カバー２３は、ハウジング２１の配線部２１ｂの上部を覆う上板２３ａと、上板２３ａから配線部２１ｂの側部に沿って延在する側板２３ｂとを有し、配線部２１ｂは、電線１３が押圧挿入されることで電線１３の芯線と導通接続する一対の圧接刃４６を有する電線接続バスバー４１Ａ，４１Ｂを備え、電線１３は、圧接刃４６との接続箇所から配線部２１ｂの側部とカバー２３の側板２３ｂとの間を通って外部に引き出され、ハウジング２１には、ハウジング２１に対するカバー２３の装着方向に沿う複数の係合溝６３が形成され、カバー２３には、装着方向に沿う複数の係合突条７３が形成され、係合溝６３と係合突条７３とが互いに装着方向にわたって係合されている。【選択図】図３
2016054052.tif 000002
【特許請求の範囲】
【請求項１】
電線が接続される配線部を有するハウジングに装着されて前記配線部を覆うカバーの取付構造であって、
前記カバーは、前記ハウジングの前記配線部の上部を覆う上板と、該上板から前記配線部の側部に沿って延在する側板とを有し、
前記ハウジングの前記配線部は、前記電線が押圧挿入されることで前記電線の芯線と導通接続する一対の圧接刃を有するバスバーを備え、
前記電線は、前記圧接刃との接続箇所から前記配線部の側部と前記カバーの側板との間を通って外部に引き出され、
前記ハウジングには、前記ハウジングに対する前記カバーの装着方向に沿う複数の係合溝が形成され、
前記カバーには、前記装着方向に沿う複数の係合突条が形成され、
前記係合溝と前記係合突条とが前記装着方向にわたって互いに係合されている
ことを特徴とするカバーの取付構造。
【請求項２】
前記係合溝は、前記電線の配線方向と直交する方向に向かって開口され、前記係合突条は、前記電線の配線方向と直交する方向に向かって突出されている
ことを特徴とする請求項１に記載のカバーの取付構造。
【請求項３】
前記ハウジングは、光源が設けられた照明部を有し、前記カバーは、前記ハウジングの前記照明部側が配置される切欠き部を有し、
前記ハウジングには、前記照明部を覆うレンズカバーが装着され、
前記カバーにおける前記切欠き部側の側板には、前記レンズカバーが当接されている
ことを特徴とする請求項１または請求項２に記載のカバーの取付構造。
【請求項４】
前記カバーの上板には、前記圧接刃に接続された前記電線を前記圧接刃への押圧挿入側へ押圧する押圧突起が設けられている
ことを特徴とする請求項１から請求項３のいずれか一項に記載のカバーの取付構造。
【発明の詳細な説明】
【技術分野】
【０００１】
本発明は、ハウジングに取り付けられるカバーの取付構造に関する。
【背景技術】
【０００２】
照明用のＬＥＤと、このＬＥＤが接続される配線用のバスバーとをハウジングに収容し、バスバーに設けられた一対の圧接刃に電線を押圧挿入することで電線の芯線とバスバーとが導通され、この電線からＬＥＤに給電されることでＬＥＤが点灯する照明ユニットが知られている（例えば、特許文献１参照）。この照明ユニットは、ハウジングに上方から被せられて圧接刃と電線との接続箇所を覆うカバーを備えている。
【先行技術文献】
【特許文献】
【０００３】
【特許文献１】特開２００７−１４９７６２号公報
【発明の概要】
【発明が解決しようとする課題】
【０００４】
上記の照明ユニットでは、ハウジングに被せられたカバーによって電線が下方へ屈曲されて保持される構造となっている。このようなカバーの取付構造では、電線が引っ張られると、その引っ張り力がカバーの側板に作用し、側板が変形してカバーがハウジングから外れてしまうおそれがある。したがって、カバーをハウジングへ固定するための強固なロック構造を設けなければならず、大型化が免れなかった。
【０００５】
本発明は、上述した事情に鑑みてなされたものであり、その目的は、大型化を招くことなくカバーの変形を抑えてハウジングにカバーを確実に固定した状態に維持させることが可能なカバーの取付構造を提供することにある。
【課題を解決するための手段】
【０００６】
前述した目的を達成するために、本発明に係るカバーの取付構造は、下記（１）〜（４）を特徴としている。
（１）  電線が接続される配線部を有するハウジングに装着されて前記配線部を覆うカバーの取付構造であって、
前記カバーは、前記ハウジングの前記配線部の上部を覆う上板と、該上板から前記配線部の側部に沿って延在する側板とを有し、
前記ハウジングの前記配線部は、前記電線が押圧挿入されることで前記電線の芯線と導通接続する一対の圧接刃を有するバスバーを備え、
前記電線は、前記圧接刃との接続箇所から前記配線部の側部と前記カバーの側板との間を通って外部に引き出され、
前記ハウジングには、前記ハウジングに対する前記カバーの装着方向に沿う複数の係合溝が形成され、
前記カバーには、前記装着方向に沿う複数の係合突条が形成され、
前記係合溝と前記係合突条とが前記装着方向にわたって互いに係合されている
ことを特徴とするカバーの取付構造。
（２）  前記係合溝は、前記電線の配線方向と直交する方向に向かって開口され、前記係合突条は、前記電線の配線方向と直交する方向に向かって突出されている
ことを特徴とする（１）に記載のカバーの取付構造。
（３）  前記ハウジングは、光源が設けられた照明部を有し、前記カバーは、前記ハウジングの前記照明部側が配置される切欠き部を有し、
前記ハウジングには、前記照明部を覆うレンズカバーが装着され、
前記カバーにおける前記切欠き部側の側板には、前記レンズカバーが当接されている
ことを特徴とする（１）または（２）に記載のカバーの取付構造。
（４）  前記カバーの上板には、前記圧接刃に接続された前記電線を前記圧接刃への押圧挿入側へ押圧する押圧突起が設けられている
ことを特徴とする（１）から（３）のいずれかに記載のカバーの取付構造。
【０００７】
上記（１）のカバーの取付構造では、ハウジングの配線部にカバーを取り付けることで、圧接刃における電線の接続箇所を保護することができる。そして、ハウジングの配線部にカバーが取り付けられると、ハウジングに対するカバーの装着方向に沿って、ハウジングの複数の係合溝とカバーの複数の係合突条とが装着方向にわたって係合される。したがって、カバーをハウジングに装着した状態において、配線部の圧接刃に接続された電線が引っ張られ、その引っ張り力がカバーの側板に作用しても、側板の変形が抑えられ、カバーのハウジングからの脱落が防止される。これにより、カバーとハウジングとを固定する強固なロック機構を設ける構造と比較し、大型化を招くことなくカバーの変形を抑えてハウジングにカバーを確実に固定した状態に維持させることができる。
また、カバーの側板の変形が抑えられることで、電線がハウジングの配線部とカバーとで保持された状態に維持される。これにより、圧接刃と電線との接続箇所への荷重の付与が防がれ、良好な接続状態が維持される。
上記（２）のカバーの取付構造では、電線の配線方向と直交する方向に向かって開口された係合溝と電線の配線方向と直交する方向に向かって突出された係合突条とが係合されているので、配線方向に沿って電線が引っ張られても、係合溝と係合突条との係合状態をより確実に維持させることができる。
上記（３）のカバーの取付構造では、カバーの切欠き部を有する側板にレンズカバーが当接されている。これにより、切欠き部を有することで強度が低下した側板がレンズカバーで補強され、電線が引っ張られた際の変形が抑制される。
上記（４）のカバーの取付構造では、ハウジングの配線部にカバーを装着することで、電線がカバーの上板の押圧突起で圧接刃への押圧挿入側へ押圧された状態となる。これにより、圧接刃への電線の接続状態をさらに確実に維持させることができる。
【発明の効果】
【０００８】
本発明によれば、大型化を招くことなくカバーの変形を抑えてハウジングにカバーを確実に固定した状態に維持させることが可能なカバーの取付構造を提供できる。
【０００９】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１０】
【図１】図１は、本実施形態に係るカバーの取付構造によってカバーが取り付けられた照明ユニットを示す図であって、図１（ａ）及び図１（ｂ）は、それぞれ異なる方向から視た斜視図である。
【図２】図２は、本実施形態に係るカバーの取付構造によってカバーが取り付けられた照明ユニットを示す図であって、図２（ａ）は平面図、図２（ｂ）は側面図、図２（ｃ）は後端側から視た側面図である。
【図３】図３は、照明ユニットの分解斜視図である。
【図４】図４は、ハウジングの平面図である。
【図５】図５は、ハウジングの分解斜視図である。
【図６】図６は、照明ユニットの概略回路図である。
【図７】図７は、照明ユニットの長手方向に沿った一部の断面図である。
【図８】図８は、図２（ａ）におけるＡ−Ａ断面図である。
【図９】図９は、カバーの裏側から視た斜視図である。
【図１０】図１０は、図２（ｂ）におけるＢ−Ｂ断面図である。
【図１１】図１１は、照明ユニットの組み立て手順を示す図であって、図１１（ａ）及び図１１（ｂ）は、それぞれハウジングの斜視図である。
【図１２】図１２は、照明ユニットの組み立て手順を示すハウジングの斜視図である。
【図１３】図１３は、照明ユニットの組み立て手順を示すハウジングの斜視図である。
【図１４】図１４は、照明ユニットへの電線の接続の仕方を示す図であって、図１４（ａ）は斜視図、図１４（ｂ）は平面図である。
【図１５】図１５は、照明ユニットの組み立て手順を示す照明ユニットの斜視図である。
【発明を実施するための形態】
【００１１】
以下、本発明に係る実施の形態の例を、図面を参照して説明する。
図１は、本実施形態に係るカバーの取付構造によってカバーが取り付けられた照明ユニットを示す図であって、図１（ａ）及び図１（ｂ）は、それぞれ異なる方向から視た斜視図である。図２は、本実施形態に係るカバーの取付構造によってカバーが取り付けられた照明ユニットを示す図であって、図２（ａ）は平面図、図２（ｂ）は側面図、図２（ｃ）は後端側から視た側面図である。図３は、照明ユニットの分解斜視図である。図４は、ハウジングの平面図である。図５は、ハウジングの分解斜視図である。図６は、照明ユニットの概略回路図である。図７は、照明ユニットの長手方向に沿った一部の断面図である。図８は、図２（ａ）におけるＡ−Ａ断面図である。図９は、カバーの裏側から視た斜視図である。図１０は、図２（ｂ）におけるＢ−Ｂ断面図である。
【００１２】
図１（ａ）（ｂ）及び図２（ａ）〜（ｃ）に示すように、本実施形態に係るカバーの取付構造は、照明ユニット１０に適用されている。照明ユニット１０は、例えば自動車の室内を照明する室内灯として用いられる。照明ユニット１０は、光照射部１１と、電線引出部１２とを有している。電線引出部１２からは電線１３が引き出されており、この電線１３から給電されることで、光照射部１１から光が出射される。
【００１３】
図３に示すように、照明ユニット１０は、ハウジング２１と、レンズカバー２２と、カバー２３とを備えている。レンズカバー２２は、ハウジング２１に対して電線引出部１２と反対側の端部から組み付けられて光照射部１１を構成する。カバー２３は、ハウジング２１に対して上方側から組み付けられ、ハウジング２１における電線１３の接続箇所を覆う。
【００１４】
図４及び図５に示すように、ハウジング２１は、照明部２１ａと、配線部２１ｂとを有している。ハウジング２１は、絶縁性を有する樹脂材料から形成されている。このハウジング２１は、部品接続バスバー３１Ａ，３１Ｂと、電線接続バスバー（バスバー）４１Ａ，４１Ｂとを備えている。
【００１５】
ハウジング２１には、その上面側における照明部２１ａ側に、部品接続バスバー収容溝３２Ａ，３２Ｂが形成されている。部品接続バスバー収容溝３２Ａ，３２Ｂには、部品接続バスバー３１Ａ，３１Ｂが収容されており、部品接続バスバー３１Ａ，３１Ｂがハウジング２１内において、並列に配置されている。また、ハウジング２１には、その上面側における配線部２１ｂ側に、電線接続バスバー収容溝４２Ａ，４２Ｂが形成されている。電線接続バスバー収容溝４２Ａ，４２Ｂには、電線接続バスバー４１Ａ，４１Ｂが収容されており、電線接続バスバー４１Ａ，４１Ｂがハウジング２１内において、並列に配置されている。
【００１６】
部品接続バスバー３１Ａ，３１Ｂは、導電性を有する金属材料から形成されたもので、一端側に部品保持端子部３３が設けられ、他端側に部品接続部３４が設けられている。部品保持端子部３３には、端部側に開口する部品挟持溝３５が形成されている。部品挟持溝３５は、固定片３５ａと、この固定片３５ａの対向位置に設けられたバネ片３５ｂとの間に形成されている。部品保持端子部３３では、部品挟持溝３５に挿し込まれる後述するＬＥＤ５１及びダイオード５２を固定片３５ａとバネ片３５ｂとで挟持して導通接続する。部品接続部３４には、下方側に開口する部品接続溝３６が形成されている。部品接続溝３６は、固定片３６ａと、この固定片３６ａの対向位置に設けられたバネ片３６ｂとの間に形成されている。部品接続部３４では、部品接続溝３６に挿し込まれる後述する抵抗器５３を固定片３６ａとバネ片３６ｂとで挟持して導通接続する。
【００１７】
電線接続バスバー４１Ａ，４１Ｂは、導電性を有する金属材料から形成されたもので、平面視長方形の平板状に形成されたバスバー本体４０を有している。バスバー本体４０の一端側には部品接続部４３が設けられ、バスバー本体４０の他端側には電線接続部４４が設けられている。部品接続部４３には、下方側に開口する部品接続溝４５が設けられている。部品接続溝４５は、固定片４５ａと、この固定片４５ａの対向位置に設けられたバネ片４５ｂとの間に形成されている。部品接続部４３では、部品接続溝４５に挿し込まれる後述する抵抗器５３を固定片４５ａとバネ片４５ｂとで挟持して導通接続する。
【００１８】
電線接続部４４には、上方側に開口する二つの電線接続溝４７が対向位置に設けられている。電線接続溝４７は、上方側に突出する一対の圧接刃４６から形成されており、これらの圧接刃４６同士の間が、電線接続溝４７とされている。また、バスバー本体４０には、他端部に、下方へ延びる圧入片４８が形成されている。この圧入片４８には、その下端における両側部に、外方へ突出する係止突起４８ａが形成されている。電線接続バスバー４１Ａ，４１Ｂは、バスバー本体４０が異なる長さとされており、これにより、電線接続バスバー収容溝４２Ａ，４２Ｂに収容された状態で、電線接続バスバー４１Ａ，４１Ｂの電線接続溝４７が長手方向にずれた位置に配置されている。また、電線接続バスバー４１Ａ，４１Ｂの部品接続溝４５は、長手方向における位置が部品接続バスバー３１Ａ，３１Ｂの部品接続溝３６と一致した位置に配置されている。
【００１９】
ハウジング２１は、ＬＥＤ（光源）５１、ダイオード５２及び抵抗器５３を備えている。ＬＥＤ５１及びダイオード５２は、部品接続バスバー３１Ａ，３１Ｂの部品保持端子部３３に形成された部品挟持溝３５に嵌め込まれて部品接続バスバー３１Ａ，３１Ｂに電気的に接続されている。抵抗器５３は、部品接続バスバー３１Ａ及び電線接続バスバー４１Ａの部品接続溝３５，４５に嵌め込まれて部品接続バスバー３１Ａ及び電線接続バスバー４１Ａに電気的に接続されている。さらに、抵抗器５３は、部品接続バスバー３１Ｂ及び電線接続バスバー４１Ｂの部品接続溝３５，４５にも嵌め込まれて部品接続バスバー３１Ｂ及び電線接続バスバー４１Ｂに電気的に接続されている。これにより、照明ユニット１０では、図６に示すように、部品接続バスバー３１Ａ，３１ＢにＬＥＤ５１及びダイオード５２が並列に接続され、部品接続バスバー３１Ａと電線接続バスバー４１Ａとの間及び部品接続バスバー３１Ｂと電線接続バスバー４１Ｂとの間に抵抗器５３が直列に接続された回路を構成している。
【００２０】
図３に示すように、ハウジング２１の照明部２１ａには、一端側からレンズカバー２２が被せられる。レンズカバー２２は、絶縁性を有する樹脂材料から形成されている。レンズカバー２２は、ハウジング２１への装着側が開口した箱型形状に形成されており、その上面側には、透光性を有する樹脂等から形成されたレンズ部２２ａが設けられている。図７に示すように、ハウジング２１のＬＥＤ５１は、ハウジング２１に装着されたレンズカバー２２のレンズ部２２ａと対向する位置に配置される。これにより、ＬＥＤ５１から出射した光は、レンズカバー２２のレンズ部２２ａを通して外部に照射される。
【００２１】
図８に示すように、ハウジング２１の配線部２１ｂには、電線１３が接続される。電線１３は、導体からなる芯線の外周を樹脂からなる外被で覆った絶縁電線であり、電線接続バスバー４１Ａ，４１Ｂのそれぞれの電線接続部４４の電線接続溝４７に押圧挿入される。これにより、電線１３は、電線接続溝４７を形成する圧接刃４６によって外被が引き裂かれ、内部の芯線が圧接刃４６に電気的に接続される。
【００２２】
図３に示すように、ハウジング２１の配線部２１ｂには、上方側からカバー２３が被せられて取り付けられる。図４に示すように、カバー２３が取り付けられるハウジング２１には、配線部２１ｂの両側部に、電線逃げ凹部６１が形成されている。また、ハウジング２１における照明部２１ａと反対側の端部には、係合爪６２が形成されている。
【００２３】
また、ハウジング２１には、その配線部２１ｂにおける４つの角部に、ハウジング２１に対するカバー２３の装着方向である上下方向に沿う４つの係合溝６３が装着方向にわたって形成されている。これらの係合溝６３は、電線接続部４４に接続されて配線される電線１３の配線方向と直交する方向に向かって開口されている。
【００２４】
図９に示すように、カバー２３は、ハウジング２１への装着側が開口した箱型形状に形成されており、ハウジング２１の配線部２１ｂに装着される。カバー２３は、絶縁性を有する樹脂材料から形成されている。カバー２３は、ハウジング２１の配線部２１ｂの上部を覆う上板２３ａと、上板２３ａから配線部２１ｂの側部に沿って延在する側板２３ｂとを有している。カバー２３には、ハウジング２１の照明部２１ａ側と干渉しないように、側板２３ｂの一つに切欠き部７１が形成されている。また、カバー２３には、切欠き部７１の形成側と反対側の側板２３ｂに、ハウジング２１の係合爪６２と係合する係合穴７２が形成されている。
【００２５】
また、カバー２３には、４つの隅部に、ハウジング２１に対するカバー２３の装着方向である上下方向に沿う４つの係合突条７３が装着方向にわたって形成されている。これらの係合突条７３は、電線接続部４４に接続されて配線される電線１３の配線方向と直交する方向に向かって突出されており、ハウジング２１の配線部２１ｂに形成された係合溝６３に係合可能とされている。
【００２６】
また、カバー２３の上板２３ａには、装着方向側の面に、電線１３の配線方向に沿う押圧突起７４が設けられている。これらの押圧突起７４は、ハウジング２１の配線部２１ｂにカバー２３を装着することで、電線１３を圧接刃４６への押圧挿入側へ押圧する。
【００２７】
カバー２３は、切欠き部７１を照明部２１ａ側へ向けた状態でハウジング２１の配線部２１ｂに被せられる。これにより、ハウジング２１の電線１３が接続された配線部２１ｂがカバー２３によって覆われる。また、カバー２３をハウジング２１の配線部２１ｂへ被せると、カバー２３の係合穴７２にハウジング２１の係合爪６２が係合する。これにより、カバー２３がハウジング２１にロックされて脱落が防止される。
【００２８】
また、カバー２３をハウジング２１の配線部２１ｂに装着することで、電線１３が圧接刃４６への押圧挿入側へ押圧された状態となる。配線部２１ｂに接続された電線１３は、屈曲されて配線部２１ｂの側面に沿って下方へ導かれて配線部２１ｂの逃げ凹部６１とカバー２３との間へ通され、外部に引き出される。
【００２９】
また、図１０に示すように、カバー２３をハウジング２１の配線部２１ｂに装着すると、電線１３の配線方向と直交する方向に突出するカバー２３の係合突条７３が、電線１３の配線方向と直交する方向に向かって開口するハウジング２１の係合溝６３に、装着方向にわたって係合する。したがって、カバー２３をハウジング２１に装着した状態において、電線１３が引っ張られ、その引っ張り力がカバー２３の側板２３ｂに作用しても、側板２３ｂの変形が抑えられ、カバー２３のハウジング２１からの脱落が防止される。
【００３０】
次に、上記の照明ユニット１０を組み立てて電線１３を接続する場合について説明する。
【００３１】
図１１は、照明ユニットの組み立て手順を示す図であって、図１１（ａ）及び図１１（ｂ）は、それぞれハウジングの斜視図である。図１２は、照明ユニットの組み立て手順を示すハウジングの斜視図である。図１３は、照明ユニットの組み立て手順を示すハウジングの斜視図である。図１４は、照明ユニットへの電線の接続の仕方を示す図であって、図１４（ａ）は斜視図、図１４（ｂ）は平面図である。図１５は、照明ユニットの組み立て手順を示す照明ユニットの斜視図である。
【００３２】
図１１（ａ）に示すように、ハウジング２１の部品接続バスバー収容溝３２Ａ，３２Ｂに部品接続バスバー３１Ａ，３１Ｂを収容させる。さらに、図１１（ｂ）に示すように、ハウジング２１の電線接続バスバー収容溝４２Ａ，４２Ｂに電線接続バスバー４１Ａ，４１Ｂを収容させる。
【００３３】
図１２に示すように、ハウジング２１の裏側から、部品接続バスバー３１Ａ及び電線接続バスバー４１Ａの部品接続溝３５，４５に抵抗器５３を嵌め込み、部品接続バスバー３１Ｂ及び電線接続バスバー４１Ｂの部品接続溝３５，４５に抵抗器５３を嵌め込む。また、部品接続バスバー３１Ａ，３１Ｂの部品保持端子部３３に形成された部品挟持溝３５に、ＬＥＤ５１及びダイオード５２を嵌め込む。
【００３４】
図１３に示すように、ハウジング２１の照明部２１ａに、ハウジング２１の一端側からレンズカバー２２を装着して被せる。これにより、レンズカバー２２のレンズ部２２ａをＬＥＤ５１に対向した位置に配置させる。
【００３５】
図１４（ａ）に示すように、電線接続バスバー４１Ａ，４１Ｂのそれぞれの電線接続部４４の電線接続溝４７に電線１３を配置させる。この状態で、図１４（ｂ）に示すように、板状の圧接パンチＰで電線１３を電線接続部４４の電線接続溝４７へ押圧挿入する。すると、電線１３は、電線接続溝４７を形成する圧接刃４６によって外被が引き裂かれ、内部の芯線が圧接刃４６に電気的に接続される。
【００３６】
図１５に示すように、ハウジング２１の配線部２１ｂに対して、切欠き部７１を照明部２１ａ側へ向けた状態でカバー２３をハウジング２１の配線部２１ｂに被せ、カバー２３の係合穴７２にハウジング２１の係合爪６２を係合させる。これにより、ハウジング２１の配線部２１ｂにカバー２３を装着する。このように、ハウジング２１の配線部２１ｂにカバー２３を装着すると、カバー２３の切欠き部７１が形成された側板２３ｂにレンズカバー２２が当接された状態となる。
【００３７】
上記のように組み立てられて電線１３が接続された照明ユニット１０は、例えば、レンズカバー２２のレンズ部２２ａ側を下方に向けて車両の天井に取り付けられる。そして、この照明ユニット１０は、電線１３から給電されることで、ＬＥＤ５１が点灯し、このＬＥＤ５１から出射した光が、レンズカバー２２のレンズ部２２ａを通して車内に照射される。
【００３８】
以上、説明したように、本実施形態に係るカバーの取付構造によれば、ハウジング２１の配線部２１ｂにカバー２３を取り付けることで、圧接刃４６における電線１３の接続箇所を保護することができる。そして、ハウジング２１の配線部２１ｂにカバー２３が取り付けられると、ハウジング２１に対するカバー２３の装着方向に沿って、ハウジング２１の複数の係合溝６３とカバー２３の複数の係合突条７３とが装着方向にわたって係合される。したがって、カバー２３をハウジング２１に装着した状態において、配線部２１ｂの圧接刃４６に接続された電線１３が引っ張られ、その引っ張り力がカバー２３の側板２３ｂに作用しても、側板２３ｂの変形が抑えられ、カバー２３のハウジング２１からの脱落が防止される。これにより、カバー２３とハウジング２１とを固定する強固なロック機構を設ける構造と比較し、大型化を招くことなくカバー２３の変形を抑えてハウジング２１にカバー２３を確実に固定した状態に維持させることができる。
【００３９】
また、カバー２３の側板２３ｂの変形が抑えられることで、電線１３がハウジング２１の配線部２１ｂとカバー２３とで保持された状態に維持される。これにより、圧接刃４６と電線１３との接続箇所への荷重の付与が防がれ、良好な接続状態が維持される。
【００４０】
また、電線１３の配線方向と直交する方向に向かって開口された係合溝６３と電線１３の配線方向と直交する方向に向かって突出された係合突条７３とが係合されているので、配線方向に沿って電線１３が引っ張られても、係合溝６３と係合突条７３との係合状態をより確実に維持させることができる。
【００４１】
しかも、カバー２３の切欠き部７１を有する側板２３ｂにレンズカバー２２が当接されている。これにより、切欠き部７１を有することで強度が低下した側板２３ｂがレンズカバー２２で補強され、電線１３が引っ張られた際の変形が抑制される。
【００４２】
また、カバー２３の上板２３ａには、圧接刃４６に接続された電線１３を圧接刃４６への押圧挿入側へ押圧する押圧突起７４が設けられている。したがって、ハウジング２１の配線部２１ｂにカバー２３を装着することで、電線１３が押圧突起７４で圧接刃４６への押圧挿入側へ押圧された状態となる。これにより、圧接刃４６への電線１３の接続状態をさらに確実に維持させることができる。
【００４３】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４４】
ここで、上述した本発明に係るカバーの取付構造の実施形態の特徴をそれぞれ以下（１）〜（４）に簡潔に纏めて列記する。
（１）  電線（１３）が接続される配線部（２１ｂ）を有するハウジング（２１）に装着されて前記配線部（２１ｂ）を覆うカバー（２３）の取付構造であって、
前記カバー（２３）は、前記ハウジング（２１）の前記配線部（２１ｂ）の上部を覆う上板（２３ａ）と、該上板（２３ａ）から前記配線部（２１ｂ）の側部に沿って延在する側板（２３ｂ）とを有し、
前記ハウジング（２１）の前記配線部（２１ｂ）は、前記電線（１３）が押圧挿入されることで前記電線（１３）の芯線と導通接続する一対の圧接刃（４６）を有するバスバー（電線接続バスバー４１Ａ，４１Ｂ）を備え、
前記電線（１３）は、前記圧接刃（４６）との接続箇所から前記配線部（２１ｂ）の側部と前記カバー（２３）の側板（２３ｂ）との間を通って外部に引き出され、
前記ハウジング（２１）には、前記ハウジング（２１）に対する前記カバー（２３）の装着方向に沿う複数の係合溝（６３）が形成され、
前記カバー（２３）には、前記装着方向に沿う複数の係合突条（７３）が形成され、
前記係合溝（６３）と前記係合突条（７３）とが前記装着方向にわたって互いに係合されている
ことを特徴とするカバーの取付構造。
（２）  前記係合溝（６３）は、前記電線（１３）の配線方向と直交する方向に向かって開口され、前記係合突条（７３）は、前記電線（１３）の配線方向と直交する方向に向かって突出されている
ことを特徴とする（１）に記載のカバーの取付構造。
（３）  前記ハウジング（２１）は、光源（ＬＥＤ５１）が設けられた照明部（２１ａ）を有し、前記カバー（２３）は、前記ハウジング（２１）の前記照明部（２１ａ）側が配置される切欠き部７１を有し、
前記ハウジング２１には、前記照明部（２１ａ）を覆うレンズカバー（２２）が装着され、
前記カバー（２３）における前記切欠き部（７１）側の側板（２３ｂ）には、前記レンズカバー（２２）が当接されている
ことを特徴とする（１）または（２）に記載のカバーの取付構造。
（４）  前記カバー（２３）の上板（２３ａ）には、前記圧接刃（４６）に接続された前記電線（１３）を前記圧接刃（４６）への押圧挿入側へ押圧する押圧突起（７４）が設けられている
ことを特徴とする（１）から（３）のいずれかに記載のカバーの取付構造。
【符号の説明】
【００４５】
１３：電線
２１：ハウジング
２１ａ：照明部
２１ｂ：配線部
２２：レンズカバー
２３：カバー
２３ａ：上板
２３ｂ：側板
４１Ａ，４１Ｂ：電線接続バスバー（バスバー）
４６：圧接刃
５１：ＬＥＤ（光源）
６３：係合溝
７１：切欠き部
７３：係合突条
７４：押圧突起
【図１】
2016054052.tif 000003
【図２】
2016054052.tif 000004
【図３】
2016054052.tif 000005
【図４】
2016054052.tif 000006
【図５】
2016054052.tif 000007
【図６】
2016054052.tif 000008
【図７】
2016054052.tif 000009
【図８】
2016054052.tif 000010
【図９】
2016054052.tif 000011
【図１０】
2016054052.tif 000012
【図１１】
2016054052.tif 000013
【図１２】
2016054052.tif 000014
【図１３】
2016054052.tif 000015
【図１４】
2016054052.tif 000016
【図１５】
2016054052.tif 000017